(57)【要約】【課題】光検出部と光源とが一体となってモジュール化され、光源からの往路光路と光ディスクからの反射光路とが分離されている区間がほとんど無い構成であっても、複数の記録層を有する光ディスクの記録再生時において、往路光に対してはほとんど影響を及ぼすことが無く、記録再生の対象としている記録層からの復路光に紛れ込んでいる、記録再生の対象ではない情報記録層からの反射迷光のみを主に遮光する光ピックアップ装置およびそれを搭載した光ピックアップ装置を提供する。【解決手段】第１の集光部材１１と第１の光学部材１９ｄとの間に配置された偏光部材２６が、第１の光源１９ａより出射される第１の往路光に対して、その偏光部全面において略同一の透過率を有するとともに、その復路光に対しては、その偏光部の中央部に設けられた遮光領域が、遮光領域を囲んで周辺部に設けられたＡＰＰ領域よりも低い透過率を有する。【選択図】図３
2012198971.tif 000002
【特許請求の範囲】
【請求項１】
第１の往路光を放出する第１の光源と、
前記第１の往路光を入射する第１の面と、前記第１の面と相対する第２の面と、を有し、前記第１の往路光を集光するとともに、前記第２の面より入射する第１の復路光を透過し前記第１の面より出射する第１の集光部材と、
前記第１の復路光を検出する第１の検出器と、
前記第１の光源と前記集光部材との間に配置され、前記第１の往路光と前記第１の復路光とを分離し、前記第１の復路光を前記第１の検出器へと導く第１の光学部材と、
前記第１の集光部材と前記第１の光学部材との間に配置される偏光部材と、を備え、
前記偏光部材は、前記第１の往路光に対して、その偏光部全面において略同一の透過率を有するとともに、前記第１の復路光に対しては、その偏光部の中央部に設けられた遮光領域が、前記遮光領域を囲んで周辺部に設けられたＡＰＰ領域よりも低い透過率を有したことを特徴とする光ピックアップ装置。
【請求項２】
前記偏光部材は、複数の記録層を有する光ディスクの再生時において再生の対象とする第１の記録層以外の記録層からの反射光が形成する焦点のうち、前記第１の検出器から最も遠い位置にある焦点と前記第１の光学部材との間に配置されたことを特徴とする請求項１記載の光ピックアップ装置。
【請求項３】
前記第１の集光部材と前記第１の光学部材との間に、複数の記録層を有する光ディスクのうちいずれかの記録層に対し、集光点を調整可能なコリメータレンズをさらに有し、前記偏光部材は、前記コリメータレンズと前記第１の光学部材との間に配置されたことを特徴とする請求項１記載の光ピックアップ装置。
【請求項４】
前記第１の光源から放出される第１の往路光よりも波長が長い第２の往路光を放出する第２の光源と、
前記第２の往路光を入射する第３の面と、前記第３の面と相対する第４の面と、を有し、前記第２の往路光を集光するとともに、前記第２の面より入射する第２の復路光を透過し前記第１の面より出射する第２の集光部材と、
前記第２の復路光を検出する第２の検出器と、
前記第１の往路光と前記第２の往路光とを略同一の光路へと導くとともに、前記第１および第２の往路光と略同一線上でかつ前記第１および第２の往路光とは逆方向より入射し前記第１の往路光と略同一の波長を有する第１の復路光と、前記逆方向より入射し前記第２の往路光と略同一の波長を有する第２の復路光とを、互いに異なる光路へと導く第２の光学部材と、をさらに備え、
前記偏光部材は、前記第１の光学部材と前記第２の光学部材との間に配置されたことを特徴とする光ピックアップ装置。
【請求項５】
請求項１〜請求項４いずれか１記載の光ピックアップ装置と、前記光ピックアップ装置を移動自在に保持するベースと、前記ベースに設けられ媒体を回転駆動する回転駆動手段と、を備えたことを特徴とする光ディスク装置。
【発明の詳細な説明】
【技術分野】
【０００１】
本発明は、ノートブックパソコンなどの携帯型電子機器や、据え置き型のパーソナルコンピュータなどの電子機器などに搭載可能な光ディスク装置およびその光ディスク装置に搭載される光ピックアップ装置に関するものである。
【背景技術】
【０００２】
ピット状パターンを有する光ディスクを用いた光メモリ技術は、ディジタルオーディオ、デジタルビデオ、文書ファイル、さらにはデータファイルと用途を拡張しつつ、高密度・大容量の記憶媒体として実用化されている。
【０００３】
それとともに、高密度の記憶容量を持つ光ディスクの開発が、光学系設計技術の進歩により進んできた。高密度化はまず、光源である半導体レーザーの短波長化と、光ディスク上へ光ビームを微小に絞る集光光学系の、光ディスク側開口数（ＮＡ）を大きくする方法によりアプローチされた。光ディスクの第１世代といえるコンパクトディスク（ＣＤ）は赤外光（波長λ３は７８０ｎｍ〜８２０ｎｍ）と、ＮＡ０．４５の対物レンズを使用し、ディスクの基材厚（光ビームの入射する面から情報記録面までの厚み）は１．２ｍｍである。第２世代のＤＶＤは赤色光（波長λ２は６３０ｎｍ〜６８０ｎｍ、標準波長６５０ｎｍ）と、ＮＡ０．６の対物レンズを使用し、ディスクの基材厚は０．６ｍｍである。そしてさらに、第３世代の光ディスクは青色光（波長λ１は３９０ｎｍ〜４１５ｎｍ、標準波長４０５ｎｍ）と、ＮＡ０．８５の対物レンズを使用し、ディスクの基材厚は０．１ｍｍである。このように光ディスクが高密度になればなるほど、その基材厚は薄くなってきている。
【０００４】
光ディスクの記憶容量を増やす次の段階として、記録層の層数を増やすことが行われている。記録層と記録層の間には、情報の漏れ込みが起こらないように中間層を設ける必要がある。しかし光ディスク表面から記録層までの厚みが想定値から変わった場合に発生する球面収差は開口数のほぼ４乗に比例する。そのため、開口数を高くした場合に、中間層を厚く設計することは望ましくない。そして中間層を薄く設計した結果、記録層間の情報の漏れ込み（クロストーク）や、各記録層からの反射光の干渉が課題となる。２５μｍの中間層を有する２層ディスクにおいてこの課題はまだ顕著ではなかったが、３層以上の多層ディスクにおいては、中間層が２５μｍからこれまでの半分以下となる１１．５μｍまで存在し、他層からの反射光の干渉問題がよりいっそうクローズアップされている。
【０００５】
このような課題に対しては、例えば以下のような技術が応用できる。すなわち、保護層の厚さが異なる第１および第２記録媒体を含む記録媒体に対して、レーザー光を放射して情報の記録および／または再生を行う対物レンズと、記録媒体で反射され、集光されたレーザー光を受光する光検出部と、第２記録媒体の情報記録面で反射されたレーザー光のうち、光軸を含む一部のレーザー光が光検出部に到達させないための遮光部とを備え、遮光部は当該一部のレーザー光が遮光されることによる損失を所定量以下に抑えるように設けられる（例えば特許文献１）。このような技術を、複数の情報記録層を持つ単一種類の光ディスクに対して応用すれば、他の層で反射した記録再生に寄与しない不要な回折光との干渉が低減されることが期待される。
【先行技術文献】
【特許文献】
【０００６】
【特許文献１】特開２００８−１９８３３６号公報
【発明の概要】
【発明が解決しようとする課題】
【０００７】
前述の干渉低減技術は、光ディスクからの反射光を電気信号に変換し、その電気信号よりＲＦ信号，トラッキングエラー信号，フォーカスエラー信号などを生成する光検出部に至るまでの反射光路が、レーザー光源から光ディスクへと至る往路光路から分離されている区間が大きい場合に、初めて適用できる。往路光路と反射光路との非分離区間に遮光部を設けると、往路光までが遮光されてしまうためである。
【０００８】
しかしながら、例えばノートパソコンなどに搭載される小型薄型の光ディスク装置に用いられる光ピックアップ装置においては、光検出部とレーザー光源とが一体となってモジュール化されているものがある。そのため、前述の往路光路と反射光路とが分離されている区間はほとんど無い。もしその僅かな分離区間に前述の遮光部を設けるとしても、そこは光ディスクからの反射光を光検出部に入射する直前であり、光検出部への入射ビーム径が絞られた状態にある。よって、仮に前述の遮光部を設けると、ＲＦ信号，トラッキングエラー信号，フォーカスエラー信号などを生成するのに必要な本来の情報記録層からの反射光の多くをも遮光してしまい、他の情報記録層からの不要な反射光のみを主に遮光することは極めて困難である。
【０００９】
したがって、ノートパソコンなどに搭載される小型薄型の光ディスク装置に用いられる光ピックアップ装置により複数の情報記録層を持つ光ディスクを記録再生する際に、他の層で反射した記録再生に寄与しない不要な回折光との干渉を低減するためには、前述の干渉低減技術とは異なる解決策を創出することが必要となる。
【課題を解決するための手段】
【００１０】
本発明は上記目的を達成するために、第１の往路光を放出する第１の光源と、第１の往路光を入射する第１の面と、第１の面と相対する第２の面と、を有し、第１の往路光を集光するとともに、第２の面より入射する第１の復路光を透過し第１の面より出射する第１の集光部材と、第１の復路光を検出する第１の検出器と、第１の光源と集光部材との間に配置され、第１の往路光と第１の復路光とを分離し、第１の復路光を第１の検出器へと導く第１の光学部材と、第１の集光部材と前記第１の光学部材との間に配置される偏光部材と、を備え、偏光部材は、第１の往路光に対して、その偏光部全面において略同一の透過率を有するとともに、第１の復路光に対しては、その偏光部の中央部に設けられた遮光領域が、遮光領域を囲んで周辺部に設けられたＡＰＰ領域よりも低い透過率を有したものである。この構成により、複数の記録層を有する光ディスクの記録再生時において、往路光に対してはほとんど影響を及ぼすことが無く、記録再生の対象としている記録層からの復路光に紛れ込んでいる、記録再生の対象ではない情報記録層からの反射迷光のみを主に遮光することで、記録再生の対象としている記録層からの復路光に及ぼす反射迷光の影響を低減することができる。
【発明の効果】
【００１１】
本発明の光ピックアップ装置によれば、往路光に対してはほとんど影響を及ぼすことが無く、他の情報記録層からの不要な反射迷光のみを主に遮光することにより、記録再生の対象としている記録層からの復路光に及ぼす反射迷光の影響が低減され、検出器における記録再生信号の品質を維持することができる。
【００１２】
また、本発明の光ディスク装置によれば、複数の記録層を有する光ディスクであっても、その記録再生時のエラーが抑えられるので、記録再生の品質を維持することができる。
【図面の簡単な説明】
【００１３】
【図１】本発明の実施例１における光ディスク装置を示す図
【図２】基台の全体斜視図
【図３】ピックアップモジュールの概略構成図
【図４】（ａ）光軸方向より見たＡＰＰ偏光ホログラムの概略構成図、（ｂ）光軸と垂直な方向から見たＡＰＰ偏光ホログラムの断面概略構成図
【図５】（ａ）往路光に対するＡＰＰ偏光ホログラムの光透過率を示す図、（ｂ）は光ディスクからの反射光に対するＡＰＰ偏光ホログラムの光透過率を示す図
【図６】複数の記録層を有する光ディスクにおいて、最も対物レンズに近い側にある記録層からのデータ読み取り時における各記録層からの反射光を示す図
【図７】本発明のＡＰＰ偏光ホログラムを有しない場合において、複数の記録層を有する光ディスクの各記録層からＢＤ−ＰＤＩＣまでの光路を示す概略説明図
【図８】本発明のＡＰＰ偏光ホログラムを有しない場合において、記録層Ｌ２〜Ｌ０からの迷光による各集光点の位置を示す部分を拡大した図
【図９】図３に示すピックアップモジュールの概略構成図のうち、本発明のＡＰＰ偏光ホログラムを含んでビームスプリッタからＢＤ−ＰＤＩＣまでを拡大した図
【図１０】（ａ）記録再生の対象が記録層Ｌ３である場合において、ＢＤ−ＰＤＩＣ上の光検出領域に入射する自層光と各迷光との関係を示す図、（ｂ）記録再生の対象が記録層Ｌ２である場合において、ＢＤ−ＰＤＩＣ上の光検出領域に入射する自層光と各迷光との関係を示す図
【図１１】（ａ）記録再生の対象が記録層Ｌ１である場合において、ＢＤ−ＰＤＩＣ上の光検出領域に入射する自層光と各迷光との関係を示す図、（ｂ）記録再生の対象が記録層Ｌ０である場合において、ＢＤ−ＰＤＩＣ上の光検出領域に入射する自層光と各迷光との関係を示す図
【図１２】本発明の実施例２における光ディスク装置を示す図
【発明を実施するための形態】
【００１４】
以下、本発明の具体的な内容について実施例を用いて説明する。
【００１５】
（実施例１）
図１は本発明の実施例１における光ディスク装置を示す図である。図１に示す光ディスク装置１において、カバー２は上カバー２ａと下カバー２ｂで構成され、一方の端部に開口２ｃを有した袋状の構成となっている。カバー２には、トレイ３が図１に示すＸ方向に挿抜自在に保持されている。トレイ３は樹脂材料などの軽量な材料で構成されている。トレイ３にはフロント部分にベゼル４が設けられている。このベゼル４はトレイ３をカバー２内に収納した際に開口２ｃを塞ぐようになっている。ベゼル４にはイジェクトボタン５が表出しており、このイジェクトボタン５を押すことで、図示しない機構によって、カバー２からトレイ３が図１に示すＸ方向にわずかに飛び出し、トレイ３はカバー２に対してＸ方向に出し入れ可能となる。
【００１６】
トレイ３には、ピックアップモジュール６が取り付けられている。ピックアップモジュール６には図示しない光ディスクを回転駆動させるスピンドルモータ７が設けられており、さらには、スピンドルモータ７に対して近づいたり離れたりする基台８が移動自在に設けられている。基台８には、詳しくは後述するが、レンズホルダ９が基台８に対して弾性的に移動可能に取り付けられている。レンズホルダ９には、ＤＶＤ／ＣＤ対物レンズ１０、ＢＤ対物レンズ１１などが取り付けられている。基台８において、スピンドルモータ７に装着される図示しない光ディスクの情報記録面と対向する面には、金属板で構成された基台カバー１２が取り付けられており、基台８に取り付けられた図示しないフレキシブル基板やレンズホルダ９などの部品の少なくとも一部を覆っている。これにより、基台８に取り付けられた部品が、図示しない光ディスクに接触することを防ぐことができ、また逆に、これらの部品を埃や電気的ノイズなどから保護することができる。
【００１７】
１３，１４は下カバー２ｂに保持され、トレイ３の両側部に係合されたレールである。レール１３，１４は、下カバー２ｂとトレイ３とに対して、トレイ３を挿抜するＸ方向に所定の範囲で摺動可能に構成されている。
【００１８】
次に、ピックアップモジュール６に設けられた基台８についてより詳細に説明する。
【００１９】
図２は、図１に示す基台８の全体斜視図である。説明のために、基台８から基台カバー１２や図示しないフレキシブル基板などの部品を取り外した状態を示している。図２において、フォーカス方向とは、ＤＶＤ／ＣＤ対物レンズ１０またはＢＤ対物レンズ１１の光軸の方向である。また、フォーカス方向は、スピンドルモータ７の回転軸と平行な方向でもある。そしてトラッキング方向とは、サスペンションホルダ１５においてサスペンション１６が固定されている面に平行かつフォーカス方向に垂直な方向である。さらにタンジェンシャル方向とは、フォーカス方向とトラッキング方向とに垂直な方向である。
【００２０】
基台８は、シャフト１７，１８に移動可能に取り付けられている。基台８には、大まかに言って、短波長光を出射し受光する短波長光学ユニット１９と、長波長光を出射し受光する長波長光学ユニット２０と、ＤＶＤ／ＣＤ対物レンズ１０，１１を搭載するレンズホルダ９とが設けられている。
【００２１】
レンズホルダ９は、サスペンション１６によってサスペンションホルダ１５に弾性的に支持されている。サスペンションホルダ１５は、ヨーク部材２１に接着などの手法により固定されており、ヨーク部材２１もまた接着などの手法によって基台８に接合されている。
【００２２】
図３は、図２に示すピックアップモジュール６の概略構成図である。なお、図３における二重波線のＡ側、つまり、短波長光学ユニット１９，長波長光学ユニット２０から１／４波長板２２までは、ピックアップモジュール６を図２におけるフォーカス方向から見た模式図である。また、図３における二重波線のＢ側、つまり、立ち上げミラー２３から光ディスク２４までは、ピックアップモジュールを図２におけるトラッキング方向から見た模式図となっている。
【００２３】
図３において、短波長光学ユニット１９から出射される光は４００ｎｍ〜４１５ｎｍの波長であり、本実施例１では略４０５ｎｍの光を出射するように構成している。なお、一般に上述のレーザー波長の光は青色〜紫色をしている。本実施例１においては、短波長光学ユニット１９の詳細は後述するが、短波長のレーザーを出射するＢＤ光源１９ａと、光ディスク２４から反射してきた光を受光する信号検出用の光検出部であるＢＤ−ＰＤＩＣ１９ｂと、光学部材１９ｃおよび１９ｄと、それら構成部材を所定の位置関係に保持する保持部材（図示せず）とを含んでいる。光学部材１９ｃは非点収差を発生する素子であり、フォーカスエラー信号を生成する。光学部材１９ｄはＢＤ−ＬＭプリズムであり、ＢＤ光源１９ａから出射した光と光ディスク２４から反射してきた光を分離する機能を有する（以降、光学部材１９ｃを「非点収差発生素子」と称し、光学部材１９ｄを「ＢＤ−ＬＭプリズム」と称する。）。
【００２４】
ＢＤ光源１９ａには、ＧａＮもしくはＧａＮを主成分とする半導体レーザー素子（図示せず）が設けられており、この半導体レーザー素子から出射された光はＢＤ−ＬＭプリズム１９ｄに入射され、ＢＤ−ＬＭプリズム１９ｄを透過して光ディスク２４の方へ導かれる。光ディスク２４で反射してきた光はＢＤ−ＬＭプリズム１９ｄおよび非点収差発生素子１９ｃを介してＢＤ−ＰＤＩＣ１９ｂに入射される。ＢＤ−ＰＤＩＣ１９ｂは、光を電気信号に変換し、その電気信号よりＲＦ信号，トラッキングエラー信号，フォーカスエラー信号などを生成する。
【００２５】
なお、本実施例１においては、ピックアップモジュール６を小型化するために、ＢＤ光源１９ａ，ＢＤ−ＰＤＩＣ１９ｂおよび非点収差発生素子１９ｃ，ＢＤ−ＬＭプリズム１９ｄを含んだ一つの短波長光学ユニットとして構成したが、ＢＤ−ＰＤＩＣ１９ｂを短波長光学ユニット１９から外に出して別体として構成するか、あるいは非点収差発生素子１９ｃまたはＢＤ−ＬＭプリズム１９ｄを短波長光学ユニット１９から外に出して別体として構成してもよい。
【００２６】
長波長光学ユニット２０から出射される光は、６４０ｎｍ〜８００ｎｍの波長であり、一種の波長の光を単数出射するか、あるいは複数種の波長の光を複数出射する構成となっている。本実施例１では、略６６０ｎｍの波長の光束（赤：例えばＤＶＤ対応）と略７８０ｎｍの光束（赤外：例えばＣＤ対応）を出射する構成としている。本実施例１においては、長波長光学ユニット２０の詳細は後述するが、長波長のレーザーを出射するＤＶＤ／ＣＤ光源２０ａと、光ディスク２４から反射してきた光を受光する信号検出用の光検出部２０ｂと、光ディスク２４から反射してきた光に非点収差を付与してフォーカスを検出する機能を有した光学部材２０ｃと、それら構成部材を所定の位置関係に保持する保持部材（図示せず）とを含んでいる。ＤＶＤ／ＣＤ光源２０ａには、半導体レーザー素子（図示せず）が設けられており、この半導体レーザー素子はモノブロックで構成され（モノリシック構造）、このモノブロックの素子から略６６０ｎｍの波長の光束（赤）と略７８０ｎｍの光束（赤外）を出射する。なお、本実施例１では、モノブロックの素子で２つの光束を出射する構成としたが、一つのブロック素子で一つの光束を出射する素子を２つ内蔵した構成としてもよい。
【００２７】
この半導体レーザー素子から出射された光束は光学部材２０ｃに入射され、この光学部材２０ｃを透過して、最終的には光ディスク２４の方へ導かれる。光ディスク２４で反射してきた光は光学部材２０ｃを介して光検出部２０ｂに入射される。光検出部２０ｂは、光を電気信号に変換し、その電気信号よりＲＦ信号，トラッキングエラー信号，フォーカスエラー信号などを生成する。なお、光学部材２０ｃには、ＣＤ用およびＤＶＤ用のフォーカスエラー信号を生成するために光ディスク２４からの反射光に非点収差を付与するホログラム２０ｄが設けられている。
【００２８】
なお、本実施例１においては、ピックアップモジュール６を小型化するために、ＤＶＤ／ＣＤ光源２０ａ，光検出部２０ｂおよび光学部材２０ｃを含んだ一つの長波長光学ユニット２０として構成したが、光検出部２０ｂを長波長光学ユニット２０から外に出して別体として構成するか、あるいは光学部材２０ｃを長波長光学ユニット２０から外に出して別体として構成してもよい。
【００２９】
短波長光学ユニット１９から出射されたレーザー光はリレーレンズ２５を通過し、コリメータレンズ３０により略平行な光になる。その光路上において、ビームスプリッタ２８と短波長光学ユニット１９の内部にあるＢＤ−ＬＭプリズム１９ｄとの間には、本発明において特徴的な部分であるＡｄｖａｎｃｅｄ  Ｐｕｓｈ−Ｐｕｌｌ（以下、「ＡＰＰ」と略す）偏光ホログラム２６が配置されている。
【００３０】
２６は本発明の最大の特徴となる光学部品であるＡＰＰ偏光ホログラムである。ＡＰＰ偏光ホログラム２６により回折された光は、トラッキングエラー検出信号として利用される。一方、０次光は、非点収差発生素子１９ｃの作用によりフォーカスエラー検出信号として利用される。ＡＰＰ偏光ホログラム２６の詳細については、後述において記載する。
【００３１】
２７は長波長光学ユニット２０から出射された長波長の光が通過する１／２波長板である。１／２波長板２７は、水晶などの複屈折を有する部材から構成され、通過した光の偏光面を回転する機能を有する。
【００３２】
２８は光学部材であるビームスプリッタである。ビームスプリッタ２８中には少なくとも２つの透明部材２８ａ、２８ｂが接合されて設けられている。透明部材２８ａ、２８ｂの間には一つの傾斜面２８ｃが設けられており、その傾斜面２８ｃには波長選択膜が設けられている。短波長光学ユニット１９から出射された光が入り込む透明部材２８ａの傾斜面２８ｃには波長選択膜が直接形成されており、この波長選択膜が形成された透明部材２８ａの傾斜面２８ｃに樹脂やガラスなどの接合材を介して透明部材２８ｂが接合されている構成となっている。
【００３３】
ビームスプリッタ２８は、短波長光学ユニット１９より出射された短波長の光のほとんどを反射し、長波長光学ユニット２０より出射された光のほとんどを透過させる機能を有する。すなわち短波長光学ユニット１９から出射された光と長波長光学ユニット２０から出射された光のほとんどをほぼ同一方向へと導く。
【００３４】
また、ビームスプリッタ２８は、短波長光学ユニット１９より出射された短波長の光の一部を透過させ、長波長光学ユニット２０より出射された光の一部を反射する機能を有する。すなわち短波長光学ユニット１９から出射された光と長波長光学ユニット２０から出射された光の一部を、後述するＦＳＰＤ（フロントセンサホトダイオード）・ＩＣ２９へと導く。
【００３５】
ＦＳＰＤ・ＩＣ２９は、短波長光学ユニット１９のＢＤ光源１９ａまたは長波長光学ユニット２０のＤＶＤ／ＣＤ光源２０ａより出射されるレーザー光の光量を検出するＩＣである。図示していないが、このＦＳＰＤ・ＩＣ２９で光を電気信号に変換し、その電気信号を元にＢＤ光源１９ａまたはＤＶＤ／ＣＤ光源２０ａから出射される光の強さを所望の強度に調整する回路などが設けられている。
【００３６】
３０は、図示しない駆動部材により移動自在に保持されたコリメータレンズである。コリメータレンズ３０はビームスプリッタ２８に対して近づく方向に移動させたりあるいは離れる方向に移動させたりすることができ、しかもその移動の速さなどを調整できる。
【００３７】
コリメータレンズ３０を駆動させるには各種モーターなどが用いられるが、特にステッピングモーターを用いることが好ましい。ステッピングモーターに送るパルスの数を調整することによって、コリメータレンズ３０の移動量が容易に設定可能となる。
【００３８】
この様に、コリメータレンズ３０をビームスプリッタ２８に近づけたり離したりする構成を採用することで、球面収差の調整を容易に行うことができる。すなわち、コリメータレンズ３０の位置によって、短波長の光の球面収差を調整することができるので、短波長対応の光ディスク２４において異なる深さに設けられた複数の記録層に対して、それぞれに記録または再生の少なくとも一方を効果的に行わせるように構成できる。
【００３９】
コリメータレンズ３０は、ビームスプリッタ２８より入射される長波長および短波長の光が透過するので、ガラスもしくは好ましくは耐短波長光樹脂（短波長によって劣化しないあるいは劣化しにくい樹脂）により構成される。このコリメータレンズ３０は、光ディスク２４より反射してきた短波長あるいは長波長の光も透過する。
【００４０】
なお、本実施例１では、短波長の光の球面収差の補正を行う構成として、図示しない駆動部材によりコリメータレンズ３０を移動させる構成としたが、他の手段を用いて短波長の光の球面収差を調整する構成としてもよい。
【００４１】
２２は短波長光学ユニット１９のＢＤ光源１９ａまたは長波長光学ユニット２０のＤＶＤ／ＣＤ光源２０ａより出射されるレーザー光が通過する１／４波長板である。１／４波長板２２は、複屈折性を有する水晶や樹脂により構成され、短波長光学ユニット１９のＢＤ光源１９ａまたは長波長光学ユニット２０のＤＶＤ／ＣＤ光源２０ａから出射された直線偏光を略円偏光の光に変換する。また、光ディスク２４で反射した円偏光の光が再び１／４波長板２２を通過すると略直線偏光に変換される。
【００４２】
立ち上げミラー２３において、短波長光学ユニット１９または長波長光学ユニット２０より出射されるレーザー光が入射する面には波長選択膜２３ｂが設けられており、長波長光学ユニット２０より出射される長波長の光をほとんど反射し、短波長光学ユニット１９より出射される短波長の光をほとんど透過させる機能を有する。
【００４３】
長波長レーザー用のＤＶＤ／ＣＤ対物レンズ１０は立ち上げミラー２３より反射してきた光を光ディスク２４に集光させる。また、光ディスク２４より反射してきた光はこのＤＶＤ／ＣＤ対物レンズ１０を通過する。本実施例１ではＤＶＤ／ＣＤ対物レンズ１０を用いたが、ホログラムなどその他の集光部材で構成してもよい。ＤＶＤ／ＣＤ対物レンズ１０はガラスや樹脂などの材料で構成される。
【００４４】
３１は短波長の光をほとんど反射する立ち上げミラーである。立ち上げミラー３１には反射膜が設けられている。ＢＤ対物レンズ１１は立ち上げミラー３１から反射してきた光を光ディスク２４に集光させる。また、光ディスク２４より反射してきた光はこのＢＤ対物レンズ１１を通過する。本実施例１ではＢＤ対物レンズ１１を用いたが、ホログラムなどその他の集光部材で構成してもよい。ＢＤ対物レンズ１１はガラスあるいは樹脂で構成されるが、ＢＤ対物レンズ１１を樹脂で構成する場合には、好ましくは耐短波長光樹脂（短波長によって劣化しないあるいは劣化しにくい樹脂）で構成される。
【００４５】
以上に示す構成において、これより本発明の特徴的な部分について述べる。
【００４６】
図４は、ＡＰＰ偏光ホログラム２６の概略構成図であり、図４（ａ）は、光軸方向より見たＡＰＰ偏光ホログラムの概略構成図、図４（ｂ）は、光軸と垂直な方向から見たＡＰＰ偏光ホログラムの断面概略構成図である。図４に示すように、ＡＰＰ偏光ホログラム２６は、偏光性液晶フィルム２６ａ上に偏光ホログラムによる回折格子２６ｂが形成され、その回折格子２６ｂが２枚のガラス板２６ｃ、２６ｄで挟まれた構造を有している。本実施例１における回折格子２６ｂは、例えば感光性物質である偏光性液晶フィルム２６ａにホログラフィによってパターン形状を露光し、感光した部分の屈折率が変わることを利用して形成されている。この形成方法は極めて一般的に知られているものであり、その他の方法により形成されてもよい。
【００４７】
偏光性液晶フィルム２６ａ上に形成された回折格子２６ｂは、その中心部に位置する遮光領域２６ｅと、その遮光領域２６ｅを取り囲んで周辺部に位置するＡＰＰ領域２６ｆとを有する。これら遮光領域２６ｅとＡＰＰ領域２６ｆとの相違点は、回折格子の溝の深さにあり、ＡＰＰ領域２６ｆよりも遮光領域２６ｅの方が、その溝が深く形成されている。図４（ｂ）はその様子を強調して示したものであるが、本実施例１においては、ＡＰＰ領域２６ｆにおける回折格子の溝の深さが約０．１５λ（λ＝４０５ｎｍ）であるのに対し、遮光領域２６ｅにおける回折格子の溝の深さは約０．４５λ（λ＝４０５ｎｍ）となっている。そして、これら遮光領域２６ｅおよびＡＰＰ領域２６ｆの回折格子は、異常光を有する往路光に対してはほとんど作用せず、常光を有する光ディスク２４からの反射光に対してのみ作用するように形成されている。
【００４８】
本実施例１における遮光領域２６ｅの直径は約φ１００〜３００μｍである。そしてＡＰＰ偏光ホログラム２６は、各断面において遮光領域２６ｅがＡＰＰ偏光ホログラム２６を通過する光ディスク２４（図３参照）からの全戻り光束の１０％から３０％程度を遮光するよう設計される。もし、各断面において遮光領域２６ｅのＡＰＰ偏光ホログラム２６を通過する全光束に対する遮光比率が３０％より大きくなると、面積比では略１０％以上の領域が遮光され、光ディスク２４（図３参照）の再生信号の品質が損なわれる。逆にもし、各断面において遮光領域２６ｅのＡＰＰ偏光ホログラム２６を通過する全光束に対する遮光比率が１０％よりも小さいと、面積比では遮光される領域が１％以下となり、後述する遮光の効果が得られなくなる。
【００４９】
このような回折格子が形成されたＡＰＰ偏光ホログラム２６により、遮光領域２６ｅとＡＰＰ領域２６ｆとの間には、常光を有する光ディスク２４からの反射光に対する透過率に差が生じる。このことについて、図５を用いて説明する。
【００５０】
図５は、ＡＰＰ偏光ホログラム２６の光透過率を示す図であり、図５（ａ）は、往路光に対するＡＰＰ偏光ホログラムの光透過率を示す図、図５（ｂ）は、光ディスク２４からの反射光に対するＡＰＰ偏光ホログラムの光透過率を示す図である。また、（表１）には、遮光領域２６ｅおよびＡＰＰ領域２６ｆにおける回折格子の溝の深さと往路光および復路光の光透過率の関係を示している。
【００５１】
【表１】
2012198971.tif 000003
【００５２】
図５および（表１）に示すように、往路光に対するＡＰＰ偏光ホログラム２６は、遮光領域２６ｅ・ＡＰＰ領域２６ｆとも０次回折光で約９５％であり、１次回折光の発生はほとんど無い。すなわち、ＡＰＰ偏光ホログラム２６は、遮光領域２６ｅ・ＡＰＰ領域２６ｆとも往路光をほぼ完全に０次回折光として透過する。しかしながら、光ディスク２４からの反射光に対して、ＡＰＰ偏光ホログラム２６のＡＰＰ領域２６ｆにおける０次回折光の透過率が約８０％であるのに対し、遮光領域２６ｅにおける０次回折光の透過率は約４％である。すなわち、遮光領域２６ｅは光ディスク２４からの反射光の０次回折光をほとんど透過させない。
【００５３】
これとは逆に、光ディスク２４からの反射光に対して、ＡＰＰ偏光ホログラム２６のＡＰＰ領域２６ｆにおける１次回折光は約８％である。これに対して遮光領域２６ｅにおける１次回折光は約４０％あるが、１次回折光は図３におけるＢＤ−ＰＤＩＣ１９ｂとは異なる方向に回折させるので、検出センサには入射しない。したがって、１次回折光が発生しても、問題とはならない。
【００５４】
このように、常光を有する光ディスク２４からの反射光に対して、遮光領域２６ｅとＡＰＰ領域２６ｆとの間に異なる０次光透過率を持つＡＰＰ偏光ホログラム２６を設けることにより、図３におけるＢＤ−ＰＤＩＣ１９ｂの検出センサには、複数の記録層を有する光ディスク２４より、データピットの検出が必要な記録層からの反射光のみが検出されるようになる。このことについて、図６以降を用いて説明する。
【００５５】
図６は、複数の記録層を有する光ディスク２４において、最も対物レンズに近い側にある記録層からのデータ読み取り時における各記録層からの反射光を示す図である。本図６は記録層が４層の場合を示している。光ディスク２４の対物レンズ側表面に近い方より順に、記録層Ｌ３・Ｌ２・Ｌ１・Ｌ０が設けられている。本実施例１における光ディスク２４の対物レンズ側表面から最深部の記録層Ｌ０までの距離は約０．１ｍｍである。そして、各記録層の間隔は略１０μｍ〜２５μｍで、それぞれ異なる間隔を有しており、２層の記録層を有する光ディスク２４よりも狭くなっている。
【００５６】
図３においてＢＤのＢＤ光源１９ａより出射された往路光は、先の図３による説明の通りに各光学部材を経由した後、最終的には図３および図６に示すＢＤ対物レンズ１１を介して、光ディスク２４が有する複数の記録層のうち、ＢＤ対物レンズ１１に最も近い側にある記録層Ｌ３上の焦点Ｆ０３にフォーカスされている。記録層Ｌ３上の焦点Ｆ０３にフォーカスされた光は反射され、図３に示すＢＤ−ＬＭプリズム１９ｄまでは往路とまったく逆の光路を辿る。ここで、Ｐ偏光を有する往路光がＢＤ−ＬＭプリズム１９ｄ内の誘電体膜１９ｅを透過できたのに対して、光ディスク２４からの反射光はＳ偏光を有しているので、ＢＤ−ＬＭプリズム１９ｄ内の誘電体膜１９ｅにより９０℃反射され、ＢＤ−ＰＤＩＣ１９ｂへと導かれる。
【００５７】
しかしながら、図６における記録層Ｌ３は全ての往路光を反射するわけではない。光ディスク２４は、ＢＤ対物レンズ１１からみて記録層Ｌ３の後ろに位置する記録層Ｌ２〜Ｌ０の各層についても記録再生が可能でなければならない。そのために、記録層Ｌ３〜Ｌ１の各層はそれぞれ略５０％の透過率を有している。したがって、記録層Ｌ３に対して記録再生を行う場合であっても、記録再生の対象である記録層Ｌ３による反射光、すなわち「自層光」の他に、記録再生の対象とはしていない記録層Ｌ２〜Ｌ０による反射光、すなわち「他層迷光」も存在する。記録層Ｌ２〜Ｌ０による他層迷光は、それぞれ仮想的な焦点Ｆ０２〜Ｆ００上で反射された光と等価である。
【００５８】
これらの迷光および自層光が辿る光路について、図７を用いて説明する。
【００５９】
図７は、本発明のＡＰＰ偏光ホログラム２６を有しない場合において、複数の記録層を有する光ディスク２４の各記録層からＢＤ−ＰＤＩＣ１９ｂまでの光路を示す概略説明図である。複数の記録層を有する光ディスク２４の各記録層Ｌ３〜Ｌ０からの反射光路をより明確に示すために、図７に登場する光路上の光学部材は光ディスク２４、ＢＤ対物レンズ１１、コリメータレンズ３０およびＢＤ−ＰＤＩＣ１９ｂのみとし、他は省略している。
【００６０】
先にも説明したように、記録層Ｌ３からの自層光は、図６では図示されていないＢＤ−ＬＭプリズム１９ｄ（図３参照）まで往路とまったく逆の光路を辿ってＢＤ−ＰＤＩＣ１９ｂ上の光検出部へと導かれる。そして、ＢＤ−ＰＤＩＣ１９ｂ上の光検出部には、記録層Ｌ３からの自層光の集光点Ｆ１３が形成される。
【００６１】
これに対して、記録層Ｌ２〜Ｌ０からの迷光は、それぞれ仮想的な焦点Ｆ０２〜Ｆ００上で反射された光として、ＢＤ対物レンズ１１およびコリメータレンズ３０を透過した後、ＢＤ−ＰＤＩＣ１９ｂに到達する。ＢＤ−ＰＤＩＣ１９ｂより手前において、透過した各記録層Ｌ２〜Ｌ０からの迷光は、それぞれ集光点Ｆ１２〜Ｆ１０を有する。なお、図８は、本発明のＡＰＰ偏光ホログラム２６を有しない場合において、記録層Ｌ２〜Ｌ０からの迷光による各集光点の位置を示す部分を拡大した図である。
【００６２】
このように、記録再生の対象とはしていない記録層Ｌ２〜Ｌ０からの迷光は、集光点こそＢＤ−ＰＤＩＣ１９ｂ上には形成されないものの、相当量の光がＢＤ−ＰＤＩＣ１９ｂ上の光検出部に入射される。そのため、記録層Ｌ３からの自層光は、記録層Ｌ２〜Ｌ０からの迷光による干渉を受ける。このような干渉により、記録層Ｌ３からの自層光の復号信号は乱され、データエラーの発生率が高くなり、最悪の場合は記録再生自体が不能となる恐れがある。これを防ぐために、先の図４を用いて説明した本発明のＡＰＰ偏光ホログラム２６が必要となる。本発明のＡＰＰ偏光ホログラム２６を導入した場合の作用効果については、次の図９以降に説明する。
【００６３】
図９は、図３に示すピックアップモジュールの概略構成図のうち、本発明のＡＰＰ偏光ホログラム２６を含んでビームスプリッタ２８からＢＤ−ＰＤＩＣ１９ｂまでを拡大した図である。本図９において、３２はＬ３自層光のうちＢＤ−ＰＤＩＣ１９ｂの検出領域に入射する光（以下、「記録層Ｌ３からの自層光」と称す）を示している。また、３３はＬ３以外の記録層Ｌ２〜Ｌ０からの迷光のうちＢＤ−ＰＤＩＣ１９ｂ上の光検出領域に入射する０次回折光（以下、「Ｌ２〜Ｌ０迷光」と称す）を示している。ＢＤ−ＰＤＩＣ１９ｂ上の光検出領域に入射しない記録層Ｌ２〜Ｌ０からの迷光は、記録層Ｌ３からの自層光とは干渉しないため、無視できる。
【００６４】
ＡＰＰ偏光ホログラム２６の遮光領域２６ｅは、Ｌ２〜Ｌ０迷光３３を遮光するように設けられている。記録層Ｌ３を記録再生の対象とする場合だけを考えれば、原理的には、記録層Ｌ２〜Ｌ０からの迷光のうち、ＢＤ−ＰＤＩＣ１９ｂ上の光検出領域に入射する部分を遮光すればよい。しかしながら、他の記録層Ｌ２〜Ｌ０のいずれかが記録再生の対象となった場合であっても、本発明のＡＰＰ偏光ホログラム２６は、記録再生の対象ではない迷光から記録再生の対象とする自層光への干渉を防ぐよう設けられている。すなわち、図４において説明したように、ＡＰＰ偏光ホログラム２６は、その各断面において、遮光領域２６ｅがＡＰＰ偏光ホログラム２６を通過する光ディスク２４（図３参照）からの全戻り光束の１０％から３０％程度を遮光するよう設計される。
【００６５】
先に述べたＬ２〜Ｌ０迷光３３以外にも、ＡＰＰ領域２６ｆに入射し透過する図示しない記録層Ｌ２〜Ｌ０からの迷光は存在する。このＡＰＰ領域２６ｆにおける透過率は、先の図５に示したように約８０％である。しかしながら先にも述べたように、これらの図示しない迷光はＢＤ−ＰＤＩＣ１９ｂ上の光検出領域に入射しないので、記録層Ｌ３からの自層光とは干渉しない。
【００６６】
そして、ＡＰＰ領域２６ｆに入射する記録層Ｌ３からの自層光３２も、先の図５に示すように、約８０％がＡＰＰ領域２６ｆを透過する。これに対して、図９において遮光領域２６ｅに入射する記録層Ｌ３からの自層光のほとんどは、遮光領域２６ｅを透過できない。それにも係わらず、ＡＰＰ領域２６ｆに入射する記録層Ｌ３からの自層光の光量は、ＡＰＰ領域２６ｆと遮光領域２６ｅとを併せた全体の約９５％を占めており、遮光されるものは約５％に過ぎない。したがって、ＢＤ−ＰＤＩＣ１９ｂ上の光検出領域における記録層Ｌ３からの自層光の検出にはほとんど影響しない。
【００６７】
以上のように設けられたＡＰＰ偏光ホログラム２６は、記録再生の対象ではない迷光のうち、ＢＤ−ＰＤＩＣ１９ｂ上の光検出領域に入射する０次回折光の中で、さらに記録再生の対象である自層光と干渉する多くの部分を遮光する。図９においては、記録層Ｌ２〜Ｌ０による迷光のうち、ＢＤ−ＰＤＩＣ１９ｂ上の光検出領域に入射する０次回折光の中で、さらに記録層Ｌ３からの自層光と干渉する多くの部分が遮光される。その結果、記録層Ｌ３からの自層光は、他の記録層Ｌ２〜Ｌ０からの迷光による干渉を受ける割合が低減される。そして、記録層Ｌ３上に記録されたデータは、より低いエラー率で復号される。
【００６８】
次に、先の図４、図５および図９に示したＡＰＰ偏光ホログラム２６により、記録再生の対象である自層光と、記録再生の対象ではない迷光との干渉が回避されていることを、次の図１０〜図１１を用いて、より明確に説明する。図１０（ａ）は、記録再生の対象が記録層Ｌ３である場合において、ＢＤ−ＰＤＩＣ上の光検出領域に入射する自層光と各迷光との関係を示す図、図１０（ｂ）は、記録再生の対象が記録層Ｌ２である場合において、ＢＤ−ＰＤＩＣ上の光検出領域に入射する自層光と各迷光との関係を示す図である。また、図１１（ａ）は、記録再生の対象が記録層Ｌ１である場合において、ＢＤ−ＰＤＩＣ上の光検出領域に入射する自層光と各迷光との関係を示す図であり、図１１（ｂ）は、記録再生の対象が記録層Ｌ０である場合において、ＢＤ−ＰＤＩＣ上の光検出領域に入射する自層光と各迷光との関係を示す図である。
【００６９】
図１０（ａ）において、記録層Ｌ３からの自層光（図９参照）は、ＢＤ−ＰＤＩＣ１９ｂ（図９参照）上の検出部において、集光点Ｆ３を形成する。集光点Ｆ３の中心付近には無光量部が存在するが、これはＡＰＰ偏光ホログラム２６の遮光領域２６ｅ（図４、図５および図９）により、記録層Ｌ３からの自層光（図９参照）が遮光された部分である。
【００７０】
これに対して、記録再生の対象ではない他の記録層Ｌ０、Ｌ１、Ｌ２からの迷光（図６〜図９参照）は、ＢＤ−ＰＤＩＣ１９ｂ（図９参照）上の検出部において、それぞれＢ３０，Ｂ３１，Ｂ３２に示す中央に無光量部が存在するドーナツ形状になる。他層Ｌ０，Ｌ１，Ｌ２からの迷光の無光量部は検出器より外側にあるため、自層光と他層迷光が干渉することはない。さらに、他層迷光同士が相互に干渉しあう領域は検出部の外側であるため、信号としては干渉の影響を受けることはない。
【００７１】
図１０（ｂ）は、記録層Ｌ２にフォーカスしている場合を示す。Ｌ２層からの自層光は、ＢＤ−ＰＤＩＣ１９ｂ上の検出部において、集光点Ｆ２を形成する。集光点Ｆ２の中心付近には無光量部が存在するが、これはＡＰＰ偏光ホログラム２６の遮光領域２６ｅ（図４、図５および図９）により、記録層Ｌ２からの自層光が遮光された部分である。
【００７２】
これに対して、記録再生の対象ではない他の記録層Ｌ０，Ｌ１，Ｌ３からの迷光は、ＢＤ−ＰＤＩＣ１９ｂ上の検出部において、それぞれＢ２０，Ｂ２１，Ｂ２３に示す中央に無光量部が存在するドーナツ形状になる。他層Ｌ０，Ｌ１，Ｌ３からの迷光の無光量部は検出器より外側にあるため、自層光と他層迷光が干渉することはない。さらに、他層迷光同士が相互に干渉しあう領域は検出部の外側であるため、信号としては干渉の影響を受けることはない。
【００７３】
次に、図１１（ａ）は、記録層Ｌ１にフォーカスしている場合を示す。Ｌ１層からの自層光は、ＢＤ−ＰＤＩＣ１９ｂ上の検出部において、集光点Ｆ１を形成する。集光点Ｆ１の中心付近には無光量部が存在するが、これはＡＰＰ偏光ホログラム２６の遮光領域２６ｅ（図４、図５）により、記録層Ｌ１からの自層光が遮光された部分である。
【００７４】
これに対して、記録再生の対象ではない他の記録層Ｌ０，Ｌ２，Ｌ３からの迷光は、ＢＤ−ＰＤＩＣ１９ｂ上の検出部において、それぞれＢ１０，Ｂ１２，Ｂ１３に示す中央に無光量部が存在するドーナツ形状になる。他層Ｌ０，Ｌ２，Ｌ３からの迷光の無光量部は検出器より外側にあるため、自層光と他層迷光が干渉することはない。さらに、他層迷光同士が相互に干渉しあう領域は検出部の外側であるため、信号としては干渉の影響を受けることはない。
【００７５】
次に、図１１（ｂ）は、記録層Ｌ０にフォーカスしている場合を示す。Ｌ０層からの自層光は、ＢＤ−ＰＤＩＣ１９ｂ上の検出部において、集光点Ｆ１を形成する。集光点Ｆ０の中心付近には無光量部が存在するが、これはＡＰＰ偏光ホログラム２６の遮光領域２６ｅ（図４、図５）により、記録層Ｌ０からの自層光が遮光された部分である。
【００７６】
これに対して、記録再生の対象ではない他の記録層Ｌ１，Ｌ２，Ｌ３からの迷光は、ＢＤ−ＰＤＩＣ１９ｂ上の検出部において、それぞれＢ０１，Ｂ０２，Ｂ０３に示す中央に無光量部が存在するドーナツ形状になる。他層Ｌ１，Ｌ２，Ｌ３からの迷光の無光量部は検出器より外側にあるため、自層光と他層迷光が干渉することはない。さらに、他層迷光同士が相互に干渉しあう領域は検出部の外側であるため、信号としては干渉の影響を受けることはない。
【００７７】
以上、図３〜図１１を用いて、ＡＰＰ偏光ホログラム２６の構成とその特徴的な効果について説明を行った。このようなＡＰＰ偏光ホログラム２６は、本実施例１において、以下のように配置されている。すなわち、先の図３において、第１の往路光を放出するＢＤ光源１９ａ（第１の光源）と、第１の往路光を入射する第１の面と、第１の面と相対する第２の面と、を有し、第１の往路光を集光するとともに、第２の面より入射する第１の復路光を透過し第１の面より出射するＢＤ対物レンズ１１（第１の集光部材）と、第１の復路光を検出するＢＤ−ＰＤＩＣ１９ｂ（第１の検出器）と、ＢＤ光源１９ａとＢＤ対物レンズ１１との間に配置され、第１の往路光と第１の復路光とを分離し、第１の復路光をＢＤ−ＰＤＩＣ１９ｂへと導くＢＤ−ＬＭプリズム１９ｄ（第１の光学部材）と、を備え、ＡＰＰ偏光ホログラム２６（偏光部材）は、ＢＤ対物レンズ１１とＢＤ−ＬＭプリズム１９ｄとの間に配置されている。そして、このＡＰＰ偏光ホログラム２６は、第１の往路光に対して、その偏光部全面において略同一の透過率を有するとともに、第１の復路光に対しては、その偏光部の中央部に設けられた遮光領域２６ｅが、遮光領域を囲んで周辺部に設けられたＡＰＰ領域２６ｆよりも低い透過率を有している。これにより、複数（特に３層以上）の記録層を有する光ディスク２４の再生時において、往路光から分離された復路光の光路が短いモジュール光源を用いた光学構成であっても、再生の対象とする記録層以外の記録層からの反射迷光を往路光と復路光とが混在している光路中で低減できるので、小型でかつ記録再生性能が高い光ピックアップ装置を提供できる。
【００７８】
また、図８に示すように、このＡＰＰ偏光ホログラム２６（偏光部材）は、複数の記録層を有する光ディスク２４の再生時において、再生の対象とする第１の記録層以外の記録層からの反射光が形成する焦点のうち、ＢＤ−ＰＤＩＣ１９ｂ（第１の検出器）から最も遠い位置にある焦点Ｆ１１と、ＢＤ−ＬＭプリズム１９ｄ（第１の光学部材）との間に配置されている。これにより、再生の対象としている記録層からの反射光よりも、それ以外の記録層からの反射光が、ＡＰＰ偏光ホログラム２６の中心側により集められた状態となる。そしてＡＰＰ偏光ホログラム２６は、往路光に対しては特に作用せず、反射光に対してのみ作用する。すなわち、その中央部にある遮光領域２６ｅを通過する反射光が特に遮光される。したがって、このような往路光と復路光とが混在している光路中において、再生の対象とする記録層以外の記録層からの反射迷光を効率よく低減でき、小型でかつ記録再生性能が高い光ピックアップ装置を提供できる。
【００７９】
さらに、図３に示すピックアップ装置は、ＢＤ対物レンズ１１（第１の集光部材）とＢＤ−ＬＭプリズム１９ｄ（第１の光学部材）との間に、複数の記録層を有する光ディスク２４のうちいずれかの記録層に対し、集光点を調整可能なコリメータレンズ３０をさらに有しており、ＡＰＰ偏光ホログラム２６（偏光部材）は、コリメータレンズとＢＤ−ＬＭプリズム１９ｄとの間に配置されている。これにより、複数の記録層を有する光ディスク２４のどの記録層であっても、確実に再生信号を拾えるよう最適化することができ、なおかつ再生の対象としている記録層からの反射光よりも、それ以外の記録層からの反射光が、ＡＰＰ偏光ホログラム２６の中心側に集められた状態となる。そしてＡＰＰ偏光ホログラム２６は、往路光に対しては特に作用せず、反射光に対してのみ作用する。すなわち、その中央部にある遮光領域２６ｅを通過する反射光が特に遮光される。したがって、このような往路光と復路光とが混在している光路中において再生の対象とする記録層以外の記録層からの反射迷光を効率よく低減でき、小型でかつ記録再生性能が高い光ピックアップ装置を提供できる。
【００８０】
またさらに、図３に示すピックアップ装置は、ＢＤ光源１９ａ（第１の光源）から放出される第１の往路光よりも波長が長い第２の往路光を放出するＤＶＤ／ＣＤ光源２０ａ（第２の光源）と、第２の往路光を入射する第３の面と、第１の面と相対する第４の面と、を有し、第２の往路光を集光するとともに、第４の面より入射する第２の復路光を透過し第３の面より出射するＤＶＤ／ＣＤ対物レンズ１０（第２の集光部材）と、第２の復路光を検出する長波長光学ユニット２０内にある検出器（第２の検出器）と、第１の往路光と第２の往路光とを略同一の光路へと導くとともに、第１および第２の往路光と略同一線上でかつ第１および第２の往路光とは逆方向より入射し、第１の往路光と略同一の波長を有する第１の復路光と、逆方向より入射し第２の往路光と略同一の波長を有する第２の復路光とを、互いに異なる光路へと導くビームスプリッタ２８（第２の光学部材）と、をさらに備え、ＡＰＰ偏光ホログラム２６（偏光部材）は、ＢＤ−ＬＭプリズム１９ｄ（第１の光学部材）とビームスプリッタ２８との間に配置されている。これにより、ＤＶＤ／ＣＤ光源２０ａからの往路光および反射光が通らない光路上にＡＰＰ偏光ホログラム２６が配置されているので、ＤＶＤ／ＣＤ光源２０ａによる光ディスク２４の記録再生を妨げることがない。なおかつ、ＢＤ光源１９ａを複数の記録層を有する光ディスク２４の再生に用いたときに、往路光から分離された復路光の光路が極端に短いモジュール光源を用いたとしても、再生の対象以外の記録層からの反射迷光を、往路光と復路光とが混在している光路中で低減できるので、小型でかつ記録再生性能が高い光ピックアップ装置を提供できる。
【００８１】
そして、このような光ピックアップ装置を移動自在に保持するベースと、このベースに設けられ光ディスク２４を回転駆動する回転駆動手段と、を備えた光ディスク装置であれば、複数（特に３層以上）の記録層を有する光ディスク２４の記録再生において、高い品質を維持することができる。
【００８２】
（実施例２）
図１２は、本発明の実施例２における光ディスク装置を示す図である。図１２に示す光ディスク装置は、いわゆるＢＤ記録再生機、またはＢＤ再生専用機であり、先の図３に示した光ディスク装置から、長波長の光による記録再生のみに必要な光学系を除外した構成となっている。すなわち、長波長光学ユニット２０、ＤＶＤ／ＣＤ対物レンズ１０、立ち上げミラー２３などが取り除かれている。
【００８３】
図１２に示す光学系全体の構成は、いわゆるＢＤ記録再生機、またはＢＤ再生専用機の一例に過ぎず、もちろん他の構成を採用してもよい。しかしながら、どのような構成にあっても、ＡＰＰ偏光ホログラム２６が先の実施例１と同様の位置に配置されれば、それによってもたらされる効果も同質のものとなる。
【００８４】
以上のように本実施例２によれば、複数（特に３層以上）の記録層を有する光ディスクの記録再生時において、往路光から分離された復路光の光路が短いモジュール光源を用いた光学構成であっても、再生の対象とする記録層以外の記録層からの反射迷光を往路光と復路光とが混在している光路中で低減できるので、小型でかつ記録再生性能が高い光ピックアップ装置を提供できる。
【産業上の利用可能性】
【００８５】
本発明の光ピックアップ装置およびそれを用いた光ディスク装置は、特に小型でかつ複数（特に３層以上）の記録層を有する光ディスクの記録再生性能が要求される用途に好適である。例えば、ノートブックパソコンなどの携帯型電子機器や、据え置き型のパーソナルコンピュータなどの電子機器などに搭載可能である。
【符号の説明】
【００８６】
１    光ディスク装置
２    カバー
２ａ    上カバー
２ｂ    下カバー
２ｃ    開口
３    トレイ
４    ベゼル
５    イジェクトボタン
６    ピックアップモジュール
７    スピンドルモータ
８    基台
９    レンズホルダ
１０    ＤＶＤ／ＣＤ対物レンズ
１１    ＢＤ対物レンズ
１３，１４    レール
１５    サスペンションホルダ
１６    サスペンション
１７，１８    シャフト
１９    短波長光学ユニット
１９ａ    ＢＤ光源
１９ｂ    ＢＤ−ＰＤＩＣ
１９ｃ    光学部材（非点収差発生素子）
１９ｄ    光学部材（ＢＤ−ＬＭプリズム）
１９ｅ    誘電体膜
２０    長波長光学ユニット
２０ａ    ＤＶＤ／ＣＤ光源
２０ｂ    光検出部
２０ｃ    光学部材
２０ｄ    ホログラム
２１    ヨーク部材
２２    １／４波長板
２３    立ち上げミラー
２４    光ディスク
２５    リレーレンズ
２６    ＡＰＰ偏光ホログラム
２６ａ    偏光性液晶フィルム
２６ｂ    回折格子
２６ｃ、２６ｄ    ガラス板
２６ｅ    遮光領域
２６ｆ    ＡＰＰ領域
２７    １／２波長板
２８    ビームスプリッタ
２８ａ、２８ｂ    透明部材
２８ｃ    傾斜面
２９    ＦＳＰＤ・ＩＣ
３０    コリメータレンズ
３１    立ち上げミラー
３２    Ｌ３自層光のうちＢＤ−ＰＤＩＣ１９ｂの検出領域に入射する光（記録層Ｌ３からの自層光）
３３    Ｌ３以外の記録層Ｌ２〜Ｌ０からの迷光のうちＢＤ−ＰＤＩＣ１９ｂ上の光検出領域に入射する０次回折光（Ｌ２〜Ｌ０迷光）
【図１】
2012198971.tif 000004
【図２】
2012198971.tif 000005
【図３】
2012198971.tif 000006
【図４】
2012198971.tif 000007
【図５】
2012198971.tif 000008
【図６】
2012198971.tif 000009
【図７】
2012198971.tif 000010
【図８】
2012198971.tif 000011
【図９】
2012198971.tif 000012
【図１０】
2012198971.tif 000013
【図１１】
2012198971.tif 000014
【図１２】
2012198971.tif 000015